(57)【要約】【課題】着脱自在の帽子にしっかり固定し、幅広く利用可能な帽子の日除けカバーの提供。【解決手段】カバー上緑部に折り込み部位、並びにフックを縫着して、帽子内側下部周壁スベリに引掛ける形でクラウンの間にはさみ込んで取り付ける帽子の日除けカバー。【選択図】図１
0003120964.tif 000002
【実用新案登録請求の範囲】
【請求項１】
帽子のクラウンとスベリの間に着脱自在に取り付けた帽子の日除けカバー。
【請求項２】
上緑部を帽子のクラウンとスベリの間にはさみ込んで取り付ける帽子の日除けカバー。
【請求項３】
上緑部に設けたフックを帽子のクラウンスベリに引っ掛ける形で取り付ける帽子の日除けカバー。
【考案の詳細な説明】
【技術分野】
【０００１】  本考案は、帽子のスベリとクラウンの間に取り付けて使用する、日除けカバーに関するものである。
【背景技術】
【０００２】  帽子に縫着した日除けに関する考案は、多々見受けられる。
【考案の開示】
【考案が解決しようとする課題】
【０００３】  帽子に縫着した日除けカバーは必要としない。早朝、夜間等、着帽していることに抵抗を感じると共に見栄えも悪く、ファッション性に欠け、収納に苦労した。本考案はこれらの欠点を除くことを目的とするものである。
【課題を解決するための手段】
【０００４】  本考案が提供する帽子の日除けカバーは、次の（１）〜（３）に記載のものである。
（１）帽子のスベリとクラウンの間に着脱自在に取り付ける帽子の日除けカバー。
（２）カバー上緑部を帽子のスベリとクラウンの間にはさみ込んで取り付ける帽子の日除けカバー。
（３）カバー上緑部に設けたフックを帽子クラウンとスベリの間に引っ掛ける形で取り付ける帽子の日除けカバー。
【考案の効果】
【０００５】  以上述べたように本考案の簡易日除けカバーは、着脱自在で必要に応じ素材の工夫で敵宜に使い分けも可能である。
急な降雨にも溌水加工のカバーに取り替えることで対応できる。この場合には、防水カバーとして使用できる。【０００６】  小学低学年、幼稚園児、保育園児など夏季のプール遊びでも、着帽姿が多々見受けられる。これらのことから本考案の日除けカバーの利用で、日射病、熱中症等から守ることも出来る。
野外活動、野良仕事等にも素材の工夫により幅広く利用できる。特にスポーツの中でも、ゴルフ等、急な降雨によりグリーン上でのパット時、防水加工のカバーの利用で集中して、プレーに専念できる。【０００７】  現在使用中の帽子にも、本考案の日除けカバーなら即利用でき、何よりも安価で、収容に便利な日除けカバーの提供が出来る。耳カバー、襟首後方カバーを別体として利用することも可能である。風雨時耳カバーを、あごの下で結ぶことで脱帽も防げる。
【考案の実施するための最良の形態】
【０００８】  帽子内側下部周壁スベリと、帽子クラウンの間に、本考案の日除けカバーを着脱自在に取り付けるため、カバー上緑部に折り込み部位とフックを設けることと、カバー上緑部に切り込みを適宜に入れることで、スベリの無い部位にも対応するようにした。
【実施例】
【０００９】  実施例を添付図面に従って説明する。
１は帽子クラウン、２は帽子内側下部周壁スベリ、３は帽子後方調節部、４はツバ（プリム）からなる帽体に本考案のカバー５、６の上緑部に折り目５ａ、６ａで折り、折り込み部位５ｂ、６ｂで設け、帽子１とスベリ２の間に折り込み部位５ｂ、６ｂをはさみ込む。図１、図２は、カバー５、６を帽子に装着した状態を示す側面図である。【００１０】  次に、他の実施例を図３により説明すると、カバー５、６の上緑部にフック７を縫着し帽子クラウン１とスベリ２に引掛ける形ではさみ込む。実施例は以上のような構成から成るものであり、着帽、脱帽により着脱自在となる。また、スベリの無い帽体には、帽子内側下部とカバー５、６の上緑部に接着布を縫着して対応できる。
【図面の簡単な説明】
【００１１】
【図１】実施例の帽子の日除けカバーの装着側面図
【図２】実施例の一部断面図
【図３】実施例の一部断面図
【符号の説明】
１．  帽子クラウン
１ａ．クラウン下部
２．  帽子内側下部周壁スベリ
３．  帽子後方調節部
４．  帽子、ツバ（プリム）
５．  耳カバー
５ａ．耳カバー折り目
５ｂ．耳カバー折り込み部位
６．  襟首後方カバー
６ａ．襟首後方カバー折り目
６ｂ．襟首後方カバー折り込み部位
７．  フック
７ａ．フック縫着部
【図１】
0003120964.tif 000003
【図２】
0003120964.tif 000004
【図３】
0003120964.tif 000005
【手続補正書】
【提出日】平成17年10月12日(2005.10.12)
【手続補正３】
【補正対象書類名】明細書
【補正対象項目名】０００５
【補正方法】変更
【補正の内容】
【０００５】  以上述べたように本考案の簡易日除けカバーは、着脱自在で必要に応じ素材の工夫で適宣に使い分けも可能である。
急な降雨にも溌水加工のカバーに取り替えることで対応できる。この場合には、防水カバーとして使用できる。
【手続補正４】
【補正対象書類名】明細書
【補正対象項目名】０００７
【補正方法】変更
【補正の内容】
【０００７】  現在使用中の帽子にも、本考案の日除けカバーなら即利用でき、何よりも安価で、収納に便利な日除けカバーの提供が出来る。耳カバー、襟首後方カバーを別体として利用することも可能である。風雨時耳カバーを、あごの下で結ぶことで脱帽も防げる。
【手続補正書】
【提出日】平成18年1月17日(2006.1.17)
【手続補正１】
【補正対象書類名】実用新案登録請求の範囲
【補正対象項目名】全文
【補正方法】変更
【補正の内容】
【実用新案登録請求の範囲】
【請求項１】
帽子のクラウンとスベリの間に着脱自在に取り付ける帽子の日除けカバー。
【請求項２】
上縁部を帽子のクラウンとスベリの間にはさみ込んで着脱自在に取り付ける帽子の日除けカバー。
【請求項３】
上縁部に設けたフックを帽子のスベリに引っ掛けて着脱自在に取り付ける帽子の日除けカバー。
【手続補正２】
【補正対象書類名】明細書
【補正対象項目名】全文
【補正方法】変更
【補正の内容】
【考案の詳細な説明】
【技術分野】
【０００１】  本考案は、帽子のスベリとクラウンの間に取り付けて使用する、日除けカバーに関するものである。
【背景技術】
【０００２】  帽子に逢着した日除けに関する考案は、多々見受けられる。
【考案の開示】
【考案が解決しようとする課題】
【０００３】  帽子に逢着した日除けカバーは必要としない。早朝、夜間等、着帽していることに抵抗を感じると共に見栄えも悪く、ファッション性に欠け、収納に苦労した。
本考案はこれらの欠点を除くことを目的とするものである。
【課題を解決するための手段】
【０００４】  本考案が提供する帽子の日除けカバーは、次の（１）〜（３）に記載のものである。
（１）帽子のスベリとクラウンの間に着脱自在に取り付ける帽子の日除けカバー。
（２）カバー上縁部を帽子のスベリとクラウンの間にはさみ込んで着脱自在に取り付ける帽子の日除けカバー
（３）カバー上縁部に設けたフックを帽子のスベリに引っ掛けて着脱自在に取り付ける帽子の日除けカバー。
【考案の効果】
【０００５】  以上述べたように本考案の簡易日除けカバーは、着脱自在で必要に応じ素材の工夫で適宜に使い分けも可能である。
急な降雨にも溌水加工のカバーに取り替えることで対応できる。この場合には、防水カバーとして使用できる。【０００６】  小学低学年、幼稚園児、保育園児など夏季のプール遊びでも、着帽姿が多々見受けられる。これらのことから本考案の日除けカバーの利用で、日射病、熱中症等から守ることが出来る。
野外活動、野良仕事等にも素材の工夫により幅広く利用できる。特にスポーツの中でも、ゴルフ等急な降雨によりグリーン上でのパット時、防水加工のカバーの利用で集中してプレーに専念できる。【０００７】  現在使用中の帽子にも、本考案の日除けカバーなら即利用でき、何よりも安価で、収納に便利な日除けカバーの提供が出来る。耳カバー、襟首後方カバーを別体として利用することも可能である。風雨時耳カバーを、あごの下で結ぶことで脱帽も防げる。
【考案の実施するための最良の形態】
【０００８】  帽子内側下部周壁スベリと帽子クラウンの間に、本考案の日除けカバーを着脱自在に取り付けるため、カバー上縁部に折り込み部位とフックを設けることと、カバー上縁部に切り込みを適宣に入れることで、スベリの無い部位にも対応するようにした。
【実施例】
【０００９】  実施例を添付図面に従って説明する。
１は帽子クラウン、２は帽子内側下部周壁スベリ、３は帽子後方調節部、４はツバ（プリム）からなる帽体に本考案のカバー５、６の上縁部を折り目５ａ、６ａで折り、その折り込み部位５ｂ、６ｂを帽子１とスベリ２の間にはさみ込む。図１、図２は、カバー５、６を帽子に装着した状態を示す側面図である。【００１０】  次に、他の実施例を図３により説明すると、カバー５，６の上縁部にフック７を縫着しスベリ２に引っ掛ける形ではさみ込む。実施例は以上のような構成から成るものであり、着帽、脱帽により着脱自在となる。また、スベリの無い帽体には、帽子内側下部とカバー５，６上縁部に接着布を縫着して対応できる。
【図面の簡単な説明】
【００１１】
【図１】実施例の帽子の日除けカバーの装着側面図
【図２】実施例の一部断面図
【図３】実施例の一部断面図
【符号の説明】
【００１２】１    帽子クラウン
２スベリ
３    帽子後方調節部
４ツバ（プリム）
５カバー
５ａ折り目
５ｂ折り込み部位
６カバー
６ａ折り目
６ｂ折り込み部位
７    フック
【手続補正３】
【補正対象書類名】図面
【補正対象項目名】全図
【補正方法】変更
【補正の内容】
【図１】
0003120964.tif 000006
【図２】
0003120964.tif 000007
【図３】
0003120964.tif 000008